(57)【要約】【課題】動作確実性の高められた接続装置を提供する。【解決手段】電気絶縁性材料から成りかつ複数の収容室７，８， １１を囲むケーシング６と、種々異なった収容室７，８内に配置されていて導電線を接続するために配設された複数の接続端子１２，１３と、前記ケーシング６の収容室１１内に配置されて接続導線を介して少なくとも２つの接続端子１２，１３に接続された電気的な構成素子１５とを備えた形式の、特に電気的な動作手段用の接続装置２において、接続導線がばね接点４４，４５として形成されている。【選択図】図４
2004200166.tif 000002
【特許請求の範囲】
【請求項１】
電気絶縁性材料から成りかつ複数の収容室（７，８，９，１１）を囲むケーシング（６）と、種々異なった収容室（７，８，９）内に配置されていて導電線を接続するために配設された複数の接続端子（１２，１３，１４）と、前記ケーシング（６）の収容室（１１）内に配置されて接続導線を介して少なくとも２つの接続端子（１２，１３）に接続された電気的な構成素子（１５）とを備えた形式の、特に電気的な動作手段用の接続装置（２）において、接続導線がばね接点（４４，４５）として形成されていることを特徴とする、特に電気的な動作手段用の接続装置。
【請求項２】
複数の収容室のうちの１つ（９）がその他の収容室（７，８，１１）に接続されておらず、かつ１本の導通端子（１４）を収容するために使用されるのに対して、それぞれ１つの接続端子（１２，１３）を収容するために使用される別の２つの収容室（７，８）が夫々、電気的構成素子（１５）を収容するための１つの収容室（１１）に接続されている、請求項１記載の接続装置。
【請求項３】
それぞれ１つの接続端子（１２，１３）を収容するために使用される収容室（７，８）が同一列に配置されており、該列が、導通端子（１４）用の収容室（９）に並列配置されている、請求項２記載の接続装置。
【請求項４】
接続端子（１２，１３，１４）が螺合端子である、請求項１記載の接続装置。
【請求項５】
接続端子がばね端子である、請求項１記載の接続装置。
【請求項６】
電気的構成素子（１５）と電気的に接続している接続端子（１２，１３）が、前記電気的構成素子（１５）のばね接点（４４，４５）に夫々当接する底面を有している、請求項１記載の接続装置。
【請求項７】
底面が扁平に形成されている、請求項６記載の接続装置。
【請求項８】
電気的構成素子（１５）に電気的に接続している接続端子（１２，１３）が、少なくともばね接点（４４，４５）に接触する領域に、耐食性の導電コーティングを有している、請求項１記載の接続装置。
【請求項９】
ばね接点（４４，４５）が、耐食性の導電コーティングを有している、請求項１記載の接続装置。
【請求項１０】
ばね接点（４４，４５）のコーティングが、接続端子（１２，１３）のコーティングと合致している、請求項８又は９までのいずれか１項記載の接続装置。
【請求項１１】
電気的構成素子（１５）が感温性素子である、請求項１記載の接続装置。
【請求項１２】
電気的構成素子（１５）が感電性素子である、請求項１記載の接続装置。
【請求項１３】
電気的構成素子（１５）が、感温性・感電性素子である、請求項１記載の接続装置。
【請求項１４】
電気的構成素子（１５）がスイッチ素子である、請求項１記載の接続装置。
【請求項１５】
電気的構成素子（１５）が切換えヒステリシスを有している、請求項１２記載の接続装置。
【請求項１６】
電気的構成素子（１５）が係止手段（４１）によってケーシング（６）内に確保されている、請求項１記載の接続装置。
【請求項１７】
電気的構成素子（１５）がばね手段（４４，４５）によって、ケーシング（６）の熱伝達性ケーシング壁（３３）に圧着されている、請求項１記載の接続装置。
【請求項１８】
ばね手段（４４，４５）が、ばね接点（４４，４５）によって形成されている、請求項１７記載の接続装置。
【発明の詳細な説明】
【技術分野】
【０００１】
本発明は、電気絶縁性材料から成りかつ複数の収容室を囲むケーシングと、種々異なった収容室内に配置されて導電線を接続するために配設された複数の接続端子と、前記ケーシングの収容室内に配置されて接続導線を介して少なくとも２つの接続端子に接続された電気的な構成素子とを備えた形式の、特に電気的な動作手段用の接続装置に関する。
【背景技術】
【０００２】
電気的な動作手段とは、気中放電ランプ用の前置機器、特に前置チョークや小形変圧器などである。電気的な動作手段と呼ばれる斯かる機器には時として、機器を保護するため、一般的な安全条件を満たすため、妨害対策のため、或いはその他の目的を達成するために役立つ構成素子を前置せねばならない場合がある。更にまた、斯かる電気的動作手段は、外部回路網に接続されねばならず、この接続のためには、いずれにしても接続装置が必要になる。
【０００３】
電気的な動作手段のための接続装置として働く電気的な接続コネクタ又は接続端子はすでに公知になっている（例えば、ドイツ連邦共和国特許出願公開第１９９ １５ ３５５号明細書参照）。当該接続端子は、感温素子を内部に収蔵した端子ケーシングを備えている。前記感温素子は、支持プレートの加熱の影響を最初に直接受けるように、端子ケーシングの下面に装着されている。端子ケーシングは、互いに並列配置された３つの個別的な端子エレメントを収蔵しており、３個のうち２個の端子エレメントは、電気的な構成素子に接続されている。各端子エレメントは夫々２つのクランプねじを有し、２つのクランプねじは、構成素子の接続線を緊締するために使用される。
【０００４】
感温性の電気的な構成素子は、特別の室内に位置し、従って該室の室温を吸収する。その場合、特に迅速な温度変動に対する応答速度は、ケーシングの熱伝導壁と電気的構成素子との間の熱伝達品質に関連している。
【０００５】
電気的構成素子の接続線がクランプねじによって確保されているような場合、このような接続装置を備えた動作手段の取付けが不適切であると、電気的構成素子を接続していたクランプねじが後日、不当に弛緩することがある。この弛緩に気付かない場合は、機能トラブルの原因となる。
【特許文献１】ドイツ連邦共和国特許出願公開第１９９ １５ ３５５号（Ａ１）明細書
【発明の開示】
【発明が解決しようとする課題】
【０００６】
そこで本発明の課題は、動作確実性の高められた接続装置を提供することである。
【課題を解決するための手段】
【０００７】
前記課題を解決する本発明の構成手段は、請求項１の特徴部に記載したように、接続導線がばね接点として形成されている点にある。
【発明の効果】
【０００８】
本発明の接続装置は、接続端子と、付加的に少なくとも１つの電気的な構成素子とを内部に収蔵したケーシングを有している。電気的な構成素子は、ばね接点を介して接続端子に接続されており、しかも前記ばね接点は外部からアプローチすることができない。従って該ばね接点は、個々の導線を接続端子に接続すること、及び／又は、個々の導線を接続端子から離断することによる外的な第三者の操作に対して防護されており、ばね接点と接続端子との間の電気接触を侵害することはできない。
【０００９】
このような接続装置の確実性がきわめて優れていることは明らかである。
【００１０】
更に本発明の接続装置は製作を特に単純化することができる。ケーシングは接続端子と電気的な構成素子だけを装備すればよい。この装備とは、ばね接点を対応する接続端子に当接させる純然たる接合プロセスにすぎない。特別の、その他の処置を施す必要は全くない。
【００１１】
有利な実施形態では１つの接続端子が導通端子として構成されているのに対して、他の２つの接続端子はそれぞれ、電気的構成素子の１つの接続部（ばね接点）に接続されているが、相互には接続されていない。後者の両接続端子は、有利には同一ライン上に配置されおり、このラインは、２つのクランプ部位を有する他の接続端子の縦軸線に対して平行に方位づけられている。これによって接続装置は、上から見れば、接続するのに格別の注意力を要しない従来慣用のクラスタ端子のように構成することができる。正しく接続することは、ケーシング内になお１つの電気的なスイッチ素子が配置されているのを当該使用者が意識しているか否かには全く関わりがない。
【００１２】
接続端子は螺合端子として構成されているのが有利である。しかし該接続端子は、必要に応じて、ばね端子として、或いはカッティング・クランプ接点などとして構成することもできる。或いはまた、ばね端子並びに螺合端子が共存する混合式接点システムも可能である。
【００１３】
電気的構成素子は、感温性電流制限素子として働くＰＣＴ抵抗であってもよい。実施形態の変化態様では電気的構成素子は、互いに並列した、その場合導通接点として構成された両接続端子間の過電圧を導出するバリスタとして構成されていてもよい。同じく又、電気的構成素子は妨害対策コンデンサとして、或いはその他の電気的構成素子として構成することもできる。電気的構成素子は、接続装置を装備した支持体の温度を、可能な限り迅速に検出するために、接続端子とボトム側ケーシング壁との間に配置された感温性構成素子として構成するのも有利である。
【００１４】
その場合、電気的構成素子は、下部ケーシング壁に圧着されているのが特に有利と考えられる。この圧着は、ケーシング内に組込まれたばね手段によって、或いは別種のばね手段によって行うこともできる。特に単純な実施形態ではばね接点は、ケーシングの熱伝導壁に電気的構成素子を圧着するためのばね手段としても使用される。
【００１５】
電気的構成素子は係止手段によってケーシング内に確保されているのが有利である。電気的構成素子はその場合、接続端子をケーシング内に挿入した後に、ケーシングの相当仕切り内に簡単に押し込むことができ、その際ばね接点は、所要の電気的接続を自動的に形成する。そのために当該接続端子用の両収容室は、電気的構成素子用の収容室と接続されている。接続端子用の両収容室を電気的構成素子用の収容室から仕切る隔壁はこのために、ばね接点を通過させる対応スリットを有することができる。
【００１６】
本発明の有利な実施形態のその他の詳細は、以下に述べる図面の詳細な説明又は請求範囲の従属請求項に列挙した構成手段に基づいて明らかである。
【発明を実施するための最良の形態】
【００１７】
次に図面に基づいて本発明の実施例を詳説する。
【００１８】
図１には蛍光灯用の前置チョーク１が図示されている。該前置チョーク１は、本発明の接続装置２を介して電気的に接続することのできる諸種の電気的動作手段の代表例として挙げられる。前置チョーク１は支持プレート３を有し、該支持プレートは、巻線５を有する鉄心４並びに接続装置２を支持している。
【００１９】
接続装置２は、例えばプラスチックから成るケーシング、つまり電気絶縁性のケーシング６を有し、該ケーシングは支持プレート３とねじ締結されている。ケーシング６は複数の収容室７，８，９，１１を包囲しており、該収容室内には、図２及び図３から判るように接続端子１２，１３，１４並びに電気的構成素子１５が配置されている。
【００２０】
接続端子１２，１３，１４は緊締ねじによって各収容室７，８，９内に確保されている。更にまた接続端子は摩擦接続式にケーシング６内に座着することもできる。接続端子１４は導通端子を形成し、該導通端子の一方の緊締ねじは、リード線を接続するために、また他方の緊締ねじは、巻線５の接続部を接点接続するために使用される。巻線５の他方の接続部を接点接続するためには接続端子１３が使用されるのに対して、接続端子１２は外部のリード線を接続するために使用される。
【００２１】
接続装置２の原理的な構造は、図４及び図５に基づいて明らかである。ケーシング６は、並列配置されたほぼ直方体状の２つのケーシング区分１６，１７を有し、両ケーシング区分は相互に、固定孔１８を画定する２つのウェブ１９，２１によって相互に結合されている。両ケーシング区分１６，１７の上面から、管状凸設部２２，２３，２４，２５が突出しており、該管状凸設部は、シャンデリア端子の場合に慣用されているように、２列に互いに平行配列されており、かつ緊締ねじを内蔵している。図４には接続端子１２，１３の緊締ねじ２６，２７が図示されている。接続端子を内蔵する収容室７，８は隔壁２８によって相互に隔離されており、かつ電気的に絶縁されている。更に両収容室７，８は収容室９からも電気的に遮断されている（図５参照）。
【００２２】
収容室１１は収容室７，８の下位に配置されており、かつボトム２９によって前記収容室７，８から隔離されている。該ボトムは、図８から判るように、両収容室７，８の全底面積を占めているのではなく、それどころか、スリット３１を開放し、該スリットによって両収容室７，８は収容室１１に接続されている。
【００２３】
電気的構成素子１５はほぼ直方体状に形成されているのが有利であり、かつその扁平下面３２をもって薄い下部ケーシング壁３３に接しており（図４参照）、該下部ケーシング壁はケーシング６を下方に向かって封鎖している。下部ケーシング壁３３は、接続装置２を組付けた状態では、支持プレート３に面接触している。固定孔１８を貫通する緊締ねじを起点として生じる応力を吸収するために、収容室１１を側方で閉鎖する、もしくは収容室９の下位で該収容室のボトムから支持プレート３の上へ延びるサイドウェブ３４，３５，３６，３７（図５及び図６参照）が力伝達作用を働く。
【００２４】
収容室１１はフラットな直方体状の空間であり、該空間は収容室７の下位で、図４及び図５に示したように一方の端面に向かって開いている。収容室１１は、図６に示したように、対向側へ向かって同じく開口しており、しかもサイド張出し部３８，３９が開口を狭めている。必要に応じてケーシングは、図４に示したように完全に閉鎖しておくこともできる。サイド張出し部３８，３９もしくは其処を貫通する壁は、電気的構成素子１５用のストッパ手段として役立つ。収容室１１内に電気的構成素子１５を確保するために、図４及び図７から判るように、下部ケーシング壁３３に沿って形成された単数又は複数の係止突起４２，４３によって構成された係止手段４１が役立つ。前記係止突起４２，４３は外寄りには夫々緩勾配のランプ形状を有しているのに対して、内寄りには急勾配を有している。下部ケーシング壁３３の固有弾性率に基づいて該ケーシング壁は、電気的構成素子１５を収容室１１内へ押込む際に弾性的に退避することができる。
【００２５】
電気的構成素子１５は例えばサーモスイッチ又は複合式の感電性サーモスイッチである。該サーモスイッチは例えば、電流束によって予熱されかつ飛躍温度に達すると高オームになるＰＴＣ素子として構成される。電気的構成素子１５は両接続端子１２，１３を電気的に結合する。このために電気的構成素子１５は、該電気的構成素子１５の上面４６又は端面４７，４８から斜め上向きに張出す少なくとも２つのばね接点４４，４５を有している。両ばね接点４４，４５は幾分湾曲されていて、しかも電気的構成素子１５の上面４６と鋭角を形成しているのが有利である。両ばね接点は、相互に向き合う方向に、或いは同一方向に配置することができる。両ばね接点４４，４５は、例えば銀コーティングによって耐食性を有しているのが殊に有利である。ベース材料はばね鋼であることができる。接続端子１２，１３もやはり同一材料（例えば銀）で形成されて耐食性を有しているのが有利である。従って、殊にフラットな接続端子下面に当接する両ばね接点４４，４５は、確実な電気的接点接続を形成する。更に両ばね接点４４，４５は、電気的構成素子１５を下部ケーシング壁３３の方に向かって負荷するので、該下部ケーシング壁３３に扁平下面３２を面接触させるために寄与する。
【００２６】
接続装置２の組立は次のように行われる。すなわち：
ケーシング６を製作すると共に接続端子１２，１３，１４を準備した後に、接続端子１２，１３，１４が先ずその収容室７，８，９内に装嵌され、或いは（該接続端子が或る程度の締め代を有している場合には）プレス嵌めされる。例えば収容室９は、該収容室を狭めかつ当該接続端子１４のプレス嵌めを生ぜしめる複数本のリブ５１を有することもできる。このような突起又はリブは、別の収容室７，８にも設けることができる。緊締ねじを挿入した後、接続端子１２，１３，１４はその特定位置に確保されている。
【００２７】
例えば別の製作所において顧客又は下請け業者によって実施できる次の作業段階で、今度は電気的構成素子１５が収容室１１内へ装嵌される。この装嵌のためには電気的構成素子１５をただ長手方向に（図４で見て右から左へ）挿入すればよく、その場合、該構成素子のばね接点４４がスリット３１を通って通走する（図８参照）。従って両ばね接点は、夫々に対応配設された接続端子１２，１３に到達する。両ばね接点４４，４５は、電気的構成素子１５の対角線上の対向位置に配置することもできるので、電気的構成素子１５は２つの可能位置で収容室１１内に装嵌することができる。このためにボトム２９は、図８に示したように、短縮されており、従って収容室８を下方に向かって、つまり収容室１１の方に向かって実質的に開放するのが有利である。これに対して電気的構成素子１５の方向錯誤を避けようとする場合には、ボトム２９を相応に延長することができ、これによってその場合、相応に極性化された電気的構成素子１５を、ただ１つの挿入方向でのみ収容室１１内へ導入することが可能である。
【００２８】
いかなる場合にも本接続装置は合理的かつ自動的に製作することができる。このことは特に、電気的構成素子１５と接続端子１２，１３との間のねじ無し接続技術に関して当て嵌まる。接続装置２の構造がコンパクトになる。そればかりでなく、組立錯誤を排除できなかった従来公知の三極構造とは異なって、全体的に二極構造が得られる。
【００２９】
改良された接続装置２では、該接続装置内に収蔵された電気的構成素子１５は、ねじ無し接点、例えばばね接点４４，４５を介して、通常は相互に電気的に断たれた接続端子１２，１３に接続されている。これは、特に合理的な組立を可能にし、しかも電気的構成素子１５が感温センサとして構成されている場合には、両ばね接点４４，４５は、該電気的構成素子１５への熱輸送を同時に改善せしめることを可能にする。これは、両ばね接点４４，４５が電気的構成素子１５をケーシング６の下部ケーシング壁３３に圧着することによって得られる。
【図面の簡単な説明】
【００３０】
【図１】本発明による接続装置を備えた電気的な動作手段の概略的な平面図である
【図２】部分的に断面して示した図１による動作手段の概略的な側面図である
【図３】図１及び図２に示した動作手段の概略的な端面図である
【図４】図１乃至図３に示した動作手段の接続装置の概略的な断面図である
【図５】図４に示した接続装置の斜視図である
【図６】図５とは異なった側から見た接続装置の斜視図である
【図７】接続装置の端面図である
【図８】図７のＡ−Ａ断面線に沿った接続装置の断面図である
【符号の説明】
【００３１】
１    前置チョーク、  ２    接続装置、  ３    支持プレート、  ４    鉄心、  ５    巻線、  ６    ケーシング、  ７，８，９，１１    収容室、  １２，１３，１４    接続端子、  １５    電気的構成素子、  １６，１７    ケーシング区分、  １８    固定孔、  １９，２１    ウェブ、  ２２，２３，２４，２５    管状凸設部、  ２６，２７    緊締ねじ、  ２８    隔壁、  ２９    ボトム、  ３１    スリット、  ３２    扁平下面、  ３３    下部ケーシング壁、  ３４，３５，３６，３７    サイドウェブ、  ３８，３９    サイド張出し部、  ４１    係止手段、  ４２，４３    係止突起、  ４４，４５    ばね接点、  ４６    上面、  ４７，４８    端面、  ５１    リブ
【図１】
2004200166.tif 000003
【図２】
2004200166.tif 000004
【図３】
2004200166.tif 000005
【図４】
2004200166.tif 000006
【図５】
2004200166.tif 000007
【図６】
2004200166.tif 000008
【図７】
2004200166.tif 000009
【図８】
2004200166.tif 000010